(57)【要約】【課題】コストを抑えることができると共に、遊技媒体供給装置と干渉することなく配置することができる物品供給装置を備えた遊技島を提供する。【解決手段】物品供給装置２０は、遊技媒体供給装置１０の補給樋１１と並んで配置され物品を搬送する搬送路２２と、搬送路２２から分岐して設けられた分岐供給路２３と、遊技島１００の両側に設けられ物品を取り出すための取出口２１と、搬送路２２によって搬送される物品を何れかの分岐供給路２３に案内する案内機構２５とを備え、分岐供給路２３は、遊技島の一側１００ａに設けられた第一取出口２１ａに連通した第一分岐供給路２３Ａと、遊技島の他側１００ｂに設けられた第二取出口２１ｂに連通した第二分岐供給路２３Ｂとを備え、第一分岐供給路２３Ａ及び第二分岐供給路２３Ｂは、双方とも搬送路２２の他側から分岐し、第一分岐供給路２３Ａは、搬送路２２の下方を横切り第一取出口２１ａに連通する。【選択図】図３
2010051468.tif 000002
【特許請求の範囲】
【請求項１】
背向状態で配置された遊技機が長手方向に複数配列された遊技島において、
遊技機の上方でかつ遊技島の長手方向に配置された補給樋を通じて、各遊技機に遊技媒体を供給する遊技媒体供給装置と、
遊技機にて遊技を行う遊技者へ所望の物品を供給する物品供給装置と、を備え、
前記物品供給装置は、
前記補給樋と並んで遊技島の短手方向の一側に寄って配置され、物品を搬送する搬送路と、
前記搬送路から分岐して設けられ、当該搬送路によって搬送される物品を遊技者へと供給するための複数の分岐供給路と、
遊技島の両側に設けられ、前記分岐供給路によって供給された物品を遊技者が取り出すための取出口と、
前記搬送路によって搬送される物品を何れかの前記分岐供給路に案内する案内機構と、を備え、
前記分岐供給路は、
遊技島の両側のうち前記搬送路が配置された側の一側に設けられた第一取出口に連通した第一分岐供給路と、
遊技島の両側のうち前記補給樋が配置された側の他側に設けられた第二取出口に連通した第二分岐供給路と、を備え、
前記第一分岐供給路及び前記第二分岐供給路は、双方とも前記搬送路の他側から分岐し、
前記第一分岐供給路は、前記搬送路の下方を横切り前記第一取出口に連通することを特徴とする遊技島。
【請求項２】
前記第一分岐供給路及び前記第二分岐供給路の前記搬送路との連通部は共通であり、
前記分岐供給路には、前記第一分岐供給路と前記第二分岐供給路に分岐する分岐部が設けられ、
前記分岐部には、物品を前記第一分岐供給路又は前記第二分岐供給路へ誘導する誘導機構が設けられることを特徴とする請求項１に記載の遊技島。
【請求項３】
前記第一分岐供給路と前記第二分岐供給路は、前記搬送路とは互いに異なる連通部にて連通することを特徴とする請求項１に記載の遊技島。
【請求項４】
前記取出口は、隣り合う２台の遊技機に対して１つ設けられ、
前記第一取出口と前記第二取出口は、遊技機１台分ずれて設けられることを特徴とする請求項３に記載の遊技島。
【発明の詳細な説明】
【技術分野】
【０００１】
本発明は、遊技者へ所望の物品を供給する物品供給装置を備えた遊技島に関するものである。
【背景技術】
【０００２】
特許文献１には、物品を収納した装置本体から離れた位置において物品を購入することができる自動販売装置が開示されている。
【０００３】
この自動販売装置は、要求信号に応じて、装置本体に収納された物品を搬送コンベヤによって物品取り出し部まで搬送するものである。
【特許文献１】特開２０００−０３０１３９号公報
【発明の開示】
【発明が解決しようとする課題】
【０００４】
遊技機が背向状態で配置された遊技島に、特許文献１に記載の自動販売装置を適用する場合、特許文献１の図８のように、搬送コンベアを２列配置する必要がある。そのため、コスト高となるおそれがある。
【０００５】
また、遊技島には、各遊技機に遊技球を供給するための遊技球供給装置が設けられるため、搬送コンベアを遊技球供給装置と干渉することなく設置する必要がある。
【０００６】
本発明は、上記の問題点に鑑みてなされたものであり、コストを抑えることができると共に、遊技媒体供給装置と干渉することなく配置することができる物品供給装置を備えた遊技島を提供することを目的とする。
【課題を解決するための手段】
【０００７】
第１の発明は、背向状態で配置された遊技機が長手方向に複数配列された遊技島において、遊技機の上方でかつ遊技島の長手方向に配置された補給樋を通じて、各遊技機に遊技媒体を供給する遊技媒体供給装置と、遊技機にて遊技を行う遊技者へ所望の物品を供給する物品供給装置と、を備え、前記物品供給装置は、前記補給樋と並んで遊技島の短手方向の一側に寄って配置され、物品を搬送する搬送路と、前記搬送路から分岐して設けられ、当該搬送路によって搬送される物品を遊技者へと供給するための複数の分岐供給路と、遊技島の両側に設けられ、前記分岐供給路によって供給された物品を遊技者が取り出すための取出口と、前記搬送路によって搬送される物品を何れかの前記分岐供給路に案内する案内機構と、を備え、前記分岐供給路は、遊技島の両側のうち前記搬送路が配置された側の一側に設けられた第一取出口に連通した第一分岐供給路と、遊技島の両側のうち前記補給樋が配置された側の他側に設けられた第二取出口に連通した第二分岐供給路と、を備え、前記第一分岐供給路及び前記第二分岐供給路は、双方とも前記搬送路の他側から分岐し、前記第一分岐供給路は、前記搬送路の下方を横切り前記第一取出口に連通することを特徴とする。
【０００８】
第２の発明は、前記第一分岐供給路及び前記第二分岐供給路の前記搬送路との連通部は共通であり、前記分岐供給路には、前記第一分岐供給路と前記第二分岐供給路に分岐する分岐部が設けられ、前記分岐部には、物品を前記第一分岐供給路又は前記第二分岐供給路へ誘導する誘導機構が設けられることを特徴とする。
【０００９】
第３の発明は、前記第一分岐供給路と前記第二分岐供給路は、前記搬送路とは互いに異なる連通部にて連通することを特徴とする。
【００１０】
第４の発明は、前記取出口は、隣り合う２台の遊技機に対して１つ設けられ、前記第一取出口と前記第二取出口は、遊技機１台分ずれて設けられることを特徴とする。
【発明の効果】
【００１１】
第１の発明によれば、物品は、補給樋と並んで遊技島の長手方向に配置された搬送路によって搬送され、搬送路から分岐して設けられた分岐供給路を通じて、遊技島の両側に設けられた第一取出口及び第二取出口に導かれる。このように、物品は、遊技島の長手方向に一列に配置された搬送路によって搬送されるため、コストを抑えることができる。
【００１２】
また、搬送路は一列で構成されるため、補給樋と並んで配置させることができると共に、第一分岐供給路及び第二分岐供給路は、双方とも搬送路の他側から分岐して形成されるため、物品供給装置をコンパクトに構成することができる。したがって、物品供給装置を遊技媒体供給装置と干渉することなく配置させることができる。
【００１３】
さらに、第一分岐供給路は、搬送路から分岐し、搬送路の下方を横切り第一取出口に連通するため、蛇行して形成されることになる。このため、第一分岐供給路によって第一取出口まで供給された物品は、第一分岐供給路の蛇行によって減速して第一取出口に到達する。したがって、物品の破損を防止することができると共に、遊技者が第一取出口にて物品を受け取る際に手を怪我することも防止できる。
【００１４】
第２の発明によれば、第一分岐供給路と第二分岐供給路が一体に形成されるため、物品供給装置をコンパクトに構成することができ、レイアウトし易い。
【００１５】
第３の発明によれば、第一分岐供給路と第二分岐供給路が別体に形成されるため、物品を第一分岐供給路又は第二分岐供給路へ誘導するための機構を設ける必要がないため、コストを抑えることができる。
【００１６】
第４の発明によれば、案内機構は、各取出口に対応して１つずつ設けられるため、案内機構の動作を制御するだけで、搬送路にて搬送される物品を各取出口へと導くことができる。したがって、物品供給装置の制御を簡素化することができる。
【発明を実施するための最良の形態】
【００１７】
以下、図面を参照して、本発明の実施の形態について説明する。
【００１８】
（第１の実施の形態）
まず、図１を参照して、本発明の第１の実施の形態に係る遊技島１００の全体構成について説明する。図１は、遊技島１００を示す斜視図である。
【００１９】
遊技島１００は、遊技場に設置され、複数の遊技機（パチンコ機）１や付帯設備が設けられるものである。
【００２０】
遊技島１００は、長手方向に２列に配列された複数の遊技機設置開口部５を有する。図１においては遊技島１００の表面側の遊技機設置開口部５の列のみを図示するが、遊技島１００の裏面側にも遊技機設置開口部５の列が形成される。この遊技機設置開口部５には遊技機１が設置される。これにより、遊技機１は、遊技島１００の長手方向に配列されると共に、短手方向には、それぞれの背面を合わせた背向状態で配置される。
【００２１】
遊技島１００の長手方向略中央の上部には、遊技媒体としての遊技球が貯留された上部タンク４が設置される。上部タンク４の左右両側には、上部タンク４の遊技球を、各遊技機１及び各遊技機１に併設され遊技球を貸し出すための球貸機（図示省略）へと供給する遊技球供給装置（遊技媒体供給装置）１０が連結される。
【００２２】
遊技球供給装置１０は、上流端部が上部タンク４の左右両側に設けられた排出口４ａに接続され遊技島１００の両端部に向かって下り傾斜して配設された一対の補給樋１１を備える。
【００２３】
補給樋１１には、転動する遊技球を各遊技機１及び球貸機へと導く複数の補給シュート（図示省略）が、長手方向に沿って複数配設される。
【００２４】
このように、遊技球供給装置１０は、遊技機１の上方でかつ遊技島１００の長手方向に配置された補給樋１１を通じて、各遊技機１及び球貸機に遊技球を供給する。
【００２５】
遊技球供給装置１０から遊技機１へと供給された遊技球は、遊技機１から賞球として遊技者に対して払い出される。払い出された遊技球は、遊技島１００に設置された球計数機（図示省略）に投入されて、遊技島１００の下部に配置された下部タンク（図示省略）に回収される。なお、払い出された遊技球は遊技に用いられることもあり、遊技に用いられた遊技球は、遊技機１から排出されて下部タンクに回収される。
【００２６】
また、遊技球供給装置１０から球貸機へと供給された遊技球は、遊技機１における遊技に用いられ、遊技機１から排出されて下部タンクに回収される。
【００２７】
下部タンクの遊技球は、上部タンク４の下方に設置された揚送装置（図示省略）に導かれ、揚送装置によって上部タンク４へと揚送される。
【００２８】
このように、遊技島１００内の遊技球は、遊技島１００内を循環する。
【００２９】
遊技島１００の上部には、遊技機１にて遊技を行う遊技者へ所望の物品を供給する物品供給装置２０が配設される。
【００３０】
物品供給装置２０は、遊技島１００から離れた場所に設置され物品が収納された収納装置（図示省略）から、遊技機１にて遊技を行う遊技者まで物品を供給する装置である。物品は、例えば、食品、飲料、煙草等である。
【００３１】
遊技島１００の両側には、収納装置から供給された物品を遊技者が取り出すための取出口２１が設けられる。
【００３２】
取出口２１は、隣り合う２台の遊技機１に対して１つ設けられ、隣り合う遊技機１の間の上方に設けられる。したがって、隣り合って遊技を行う遊技者は、共通の取出口２１から物品を取り出すことになる。
【００３３】
取出口２１の周辺には、収納装置へ所望の物品の要求信号を送信するための押ボタンや、硬化、紙幣、コイン、カード等を投入するための投入口が配設される。
【００３４】
このように、物品供給装置２０は、遊技機１にて遊技を行っている遊技者が、席を離れずに物品を購入することを可能とする装置である。
【００３５】
次に、主に図２及び図３を参照して、物品供給装置２０について詳しく説明する。図２は遊技島１００の部分平面図であり、図３は図２におけるＡ−Ａ線に沿う断面図である。
【００３６】
物品供給装置２０は、遊技球供給装置１０の補給樋１１と並んで遊技島１００の長手方向に配置され物品を搬送する搬送路２２を備える。なお、物品は、図３において符号２にて示す。
【００３７】
搬送路２２は、無端状のベルトコンベア２２ａの上面に物品を載置し、ベルトコンベアの周回によって物品を搬送するものである。なお、図２においては、物品はベルトコンベア２２ａによって右方向に搬送される。
【００３８】
搬送路２２と補給樋１１は、図２に示すように、遊技機１の上方に平行に配置され、搬送路２２は遊技島１００の短手方向の一側に寄って配置され、補給樋１１は遊技島１００の短手方向の他側に寄って配置される。
【００３９】
搬送路２２には、搬送路２２によって搬送される物品を遊技者へと供給するための分岐供給路２３が複数分岐して設けられる。分岐供給路２３は、搬送路２２から遊技島１００の短手方向へ略垂直に分岐し、その終端部は取出口２１に連通する。
【００４０】
搬送路２２には、搬送路２２によって搬送される物品を何れかの分岐供給路２３に案内する案内機構としての案内部材２５が複数設けられる。案内部材２５は、各分岐供給路２３の入口部２３ａに設けられる。
【００４１】
分岐供給路２３の入口部２３ａは、搬送路２２の他側の面、つまり補給樋１１に対向する面に形成される。
【００４２】
分岐供給路２３は、途中、分岐部２３ｂにて第一分岐供給路２３Ａと第二分岐供給路２３Ｂに分岐して形成される。分岐部２３ｂには、搬送路２２から分岐供給路２３に案内された物品を第一分岐供給路２３Ａ又は第二分岐供給路２３Ｂへ誘導する誘導機構としての誘導部材２６が設けられる。
【００４３】
第一分岐供給路２３Ａは、遊技島１００の両側のうち搬送路２２が配置された側の一側１００ａに設けられた第一取出口２１ａに連通し、第二分岐供給路２３Ｂは、遊技島１００の両側のうち補給樋１１が配置された側の他側１００ｂに設けられた第二取出口２１ｂに連通する。
【００４４】
このように、第一分岐供給路２３Ａと第二分岐供給路２３Ｂは、搬送路２２との連通部である入口部２３ａが共通であり、それぞれの終端部である第一取出口２１ａ及び第二取出口２１ｂが遊技島１００の両側のそれぞれに配置される。つまり、第一分岐供給路２３Ａと第二分岐供給路２３Ｂは一体に形成される。
【００４５】
第一分岐供給路２３Ａ及び第二分岐供給路２３Ｂの径路について、図３を参照して説明する。第一分岐供給路２３Ａは、入口部２３ａからコの字状に形成され、搬送路２２の下方を横切り第一取出口２１ａに連通する。このように、第一分岐供給路２３Ａは蛇行して形成される。また、第二分岐供給路２３Ｂは、入口部２３ａから補給樋１１の下方を横切った後、下方に屈曲して第二取出口２１ｂに連通する。
【００４６】
このように、第一分岐供給路２３Ａと第二分岐供給路２３Ｂは、一緒に搬送路２２から補給樋１１側に分岐した後、分岐部２３ｂにて逆方向へと枝分かれする構造であるため、補給樋１１の下方のスペースにコンパクトに配置される。したがって、遊技球供給装置１０と物品供給装置２０を、干渉することなく遊技機１の上方に配置させることできる。
【００４７】
遊技島１００の両側のそれぞれに設けられる第一取出口２１ａと第二取出口２１ｂは、互いに同じ位置に配置される。つまり、第一取出口２１ａと第二取出口２１ｂは対向して配置される。図２にて説明すると、第一取出口２１ａは、遊技島１００の一側１００ａに設置された隣り合う遊技機１ａと遊技機１ｂの間、及び隣り合う遊技機１ｃと遊技機１ｄの間に設けられる。また、第二取出口２１ｂは、遊技島１００の他側１００ｂに遊技機１ａ，１ｂと背向状態で設置された遊技機１Ａと遊技機１Ｂの間、及び遊技機１ｃ，１ｄと背向状態で設置された遊技機１Ｃと遊技機１Ｄの間に設けられる。
【００４８】
案内部材２５及び誘導部材２６は、軸中心に回動する部材であり、遊技者の押ボタン操作によって送信される要求信号に基づいて動作が制御される。案内部材２５及び誘導部材２６の回動位置が制御されることによって、収納装置から搬送路２２に導かれた物品は、遊技者の近傍の取出口２１まで供給される。
【００４９】
次に、物品供給装置２０の動作について説明する。
【００５０】
図２に示す遊技機１ｃにて遊技を行う遊技者が押ボタンを操作し物品を購入する場合について説明する。この場合、図２に示すように、遊技機１ａ，１ｂ，１Ａ，１Ｂにて遊技を行う遊技者へ物品を供給するための分岐供給路２３の入口部２３ａに設けられた案内部材２５ａは、ベルトコンベア２２ａにて搬送される物品に対して影響を及ぼさない回動位置に設定される。これに対して、遊技機１ｃ，１ｄ，１Ｃ，１Ｄにて遊技を行う遊技者へ物品を供給するための分岐供給路２３の入口部２３ａに設けられた案内部材２５ｂは、ベルトコンベア２２ａ上に回動し、ベルトコンベア２２ａにて搬送される物品を分岐供給路２３へと案内する回動位置に設定される。
【００５１】
これにより、収納装置から搬送路２２に導かれ、ベルトコンベア２２ａにて図２中右方向に搬送される物品は、案内部材２５ａには当接せずに直進し、案内部材２５ｂに当接して分岐供給路２３へと案内される。
【００５２】
分岐供給路２３の分岐部２３ｂに設けられた誘導部材２６は、図３に示すように、起立状態となり、物品を第一分岐供給路２３Ａへと誘導する回動位置に設定される。これにより、案内部材２５ｂに当接して分岐供給路２３へと案内された物品は、分岐部２３ｂにて第一分岐供給路２３Ａに誘導されて第一取出口２１ａに導かれる。このとき、物品は、第一分岐供給路２３Ａの蛇行によって十分に減速して第一取出口２１ａに到達する。したがって、物品の破損が防止されると共に、遊技者が第一取出口２１ａにて物品を受け取る際に手を怪我することも防止される。
【００５３】
以上のようにして、物品は、収納装置から遊技機１ｃにて遊技を行う遊技者の近傍に設けられた第一取出口２１ａに導かれ、遊技者は所望の物品を購入することができる。
【００５４】
次に、図２に示す遊技機１Ｄにて遊技を行う遊技者が押ボタンを操作し物品を購入する場合について説明する。この場合、案内部材２５ａ及び案内部材２５ｂの回動位置は、前述の場合と同じであり、ベルトコンベア２２ａにて搬送される物品は、案内部材２５ｂに当接して分岐供給路２３へと案内される。
【００５５】
分岐供給路２３の分岐部２３ｂに設けられた誘導部材２６は、分岐供給路２３の底面と連続する位置まで回動する。つまり、誘導部材２６は、分岐部２３ｂにおける第一分岐供給路２３Ａの入口開口を閉塞し、物品を第二分岐供給路２３Ｂへと誘導する回動位置に設定される。これにより、案内部材２５ｂに当接して分岐供給路２３へと案内された物品は、分岐部２３ｂにて第二分岐供給路２３Ｂに誘導されて第二取出口２１ｂに導かれる。
【００５６】
以上のようにして、物品は、収納装置から遊技機１Ｄにて遊技を行う遊技者の近傍に設けられた第二取出口２１ｂに導かれ、遊技者は所望の物品を購入することができる。
【００５７】
なお、本実施の形態では、取出口２１は遊技機２台につき１つ設けたが、遊技機１台に１つ設けるようにしても良い。
【００５８】
以上の本実施の形態によれば、以下に示す作用効果を奏する。
【００５９】
物品は、補給樋１１と並んで遊技島１００の長手方向に配置された搬送路２２によって搬送され、搬送路２２から分岐して設けられた分岐供給路２３を通じて、遊技島１００の両側に設けられた第一取出口２１ａ及び第二取出口２１ｂに導かれる。このように、物品は、遊技島１００の長手方向に一列に配置された搬送路２２によって搬送されるため、コストを抑えることができる。
【００６０】
また、搬送路２２は一列で構成されるため、補給樋１１と並んで配置させることができると共に、第一分岐供給路２３Ａ及び第二分岐供給路２３Ｂは、双方とも搬送路２２の他側から分岐した後、分岐部２３ｂにて逆方向へと枝分かれする構造であるため、物品供給装置２０をコンパクトに構成することができる。したがって、物品供給装置２０を遊技球供給装置１０と干渉することなく配置させることができる。
【００６１】
さらに、第一分岐供給路２３Ａは、搬送路２２の他側から分岐し、搬送路２２の下方を横切り第一取出口２１ａに連通するため、蛇行して形成されることになる。このため、第一分岐供給路２３Ａによって第一取出口２１ａまで供給された物品は、第一分岐供給路２３Ａの蛇行によって減速して第一取出口２１ａに到達する。したがって、物品の破損を防止することができると共に、遊技者が第一取出口２１ａにて物品を受け取る際に手を怪我することも防止できる。
【００６２】
また、第一分岐供給路２３Ａ及び第二分岐供給路２３Ｂの搬送路２２との連通部である入口部２３ａが共通であるため、物品供給装置２０をコンパクトに構成することができ、レイアウトし易い。
【００６３】
（第２の実施の形態）
次に、図４及び図５を参照して、本発明の第２の実施の形態について説明する。
【００６４】
図４は本発明の第２の実施の形態に係る遊技島２００の部分平面図であり、図５Ａは図４おけるＡ−Ａ線に沿う断面図であり、図５Ｂは図４おけるＢ−Ｂ線に沿う断面図である。
【００６５】
以下では、上記第１の実施の形態と異なる点を中心に説明し、第１の実施の形態と同様の構成には、同一の符号を付し説明を省略する。
【００６６】
第２の実施の形態は、物品供給装置の構成が上記第１の実施の形態と相違する。
【００６７】
第２の実施の形態における物品供給装置５０においては、取出口２１は隣り合う２台の遊技機１に対して１つ設けられ、かつ遊技島２００の両側のそれぞれに設けられる第一取出口２１ａと第二取出口２１ｂは、遊技機１台分ずれて設けられる。つまり、図４に示すように、第一取出口２１ａは、遊技島２００の一側２００ａに設置された隣り合う遊技機１ａと遊技機１ｂの間、及び隣り合う遊技機１ｃと遊技機１ｄの間に設けられるのに対して、第二取出口２１ｂは、遊技島２００の他側２００ｂに設置された遊技機１Ｂと遊技機１Ｃの間に設けられる。
【００６８】
また、第一分岐供給路２３Ａと第二分岐供給路２３Ｂは、搬送路２２とは互いに異なる連通部にて連通し、別体に形成される。つまり、第一分岐供給路２３Ａと第二分岐供給路２３Ｂのそれぞれの入口部２３ａは、搬送路２２の異なる部位に形成される。
【００６９】
第一分岐供給路２３Ａは、図５Ａに示すように、搬送路２２における補給樋１１に対向する面から分岐してコの字状に形成され、搬送路２２の下方を横切り第一取出口２１ａに連通する。また、第二分岐供給路２３Ｂは、搬送路２２における補給樋１１に対向する面から分岐して補給樋１１の下方を横切った後、下方に屈曲して第二取出口２１ｂに連通する。
【００７０】
このように、第一分岐供給路２３Ａと第二分岐供給路２３Ｂは、別体に形成され、それぞれ第一取出口２１ａ及び第二取出口２１ｂに連通する。したがって、物品供給装置５０では、第一分岐供給路２３Ａ及び各第二分岐供給路２３Ｂの入口部２３ａのそれぞれに、案内部材２５（２５ａ〜２５ｄ）が設けられ、また、第１の実施の形態において分岐供給路２３の分岐部２３ｂに設けられた誘導部材２６は不要となる。つまり、案内部材２５は、各取出口２１に対応して１つずつ設けられ、案内部材２５の動作を制御するだけで、搬送路２２にて搬送される物品を各取出口２１へと導くことができる。
【００７１】
次に、物品供給装置５０の動作について説明する。
【００７２】
図４に示す遊技機１ｃにて遊技を行う遊技者が押ボタンを操作し物品を購入する場合について説明する。この場合、図４に示すように、案内部材２５ａ〜２５ｃは、ベルトコンベア２２ａにて搬送される物品に対して影響を及ぼさない回動位置に設定される。これに対して、案内部材２５ｄは、ベルトコンベア２２ａ上に回動し、ベルトコンベア２２ａにて搬送される物品を第一分岐供給路２３Ａへと案内する回動位置に設定される。
【００７３】
これにより、収納装置から搬送路２２に導かれ、ベルトコンベア２２ａにて図４中右方向に搬送される物品は、案内部材２５ａ〜２５ｃには当接せずに直進し、案内部材２５ｄに当接して第一分岐供給路２３Ａへと案内される。そして、第一分岐供給路２３Ａの蛇行によって十分に減速して第一取出口２１ａに到達する。
【００７４】
以上のようにして、物品は、収納装置から遊技機１ｃにて遊技を行う遊技者の近傍に設けられた第一取出口２１ａに導かれ、遊技者は所望の物品を購入することができる。
【００７５】
次に、図４に示す遊技機１Ｃにて遊技を行う遊技者が押ボタンを操作し物品を購入する場合について説明する。この場合、案内部材２５ａ，２５ｂは、ベルトコンベア２２ａにて搬送される物品に対して影響を及ぼさない回動位置に設定され、案内部材２５ｃは、ベルトコンベア２２ａ上に回動し、ベルトコンベア２２ａにて搬送される物品を第二分岐供給路２３Ｂへと案内する回動位置に設定される。
【００７６】
これにより、収納装置から搬送路２２に導かれ、ベルトコンベア２２ａにて図４中右方向に搬送される物品は、案内部材２５ａ，２５ｂには当接せずに直進し、案内部材２５ｃに当接して第二分岐供給路２３Ｂへと案内される。そして、第二分岐供給路２３Ｂを通じて第二取出口２１ｂに導かれる。
【００７７】
以上のようにして、物品は、収納装置から遊技機１Ｃにて遊技を行う遊技者の近傍に設けられた第二取出口２１ｂに導かれ、遊技者は所望の物品を購入することができる。
【００７８】
以上の本実施の形態によれば、以下に示す作用効果を奏する。
【００７９】
第一分岐供給路２３Ａと第二分岐供給路２３Ｂが別体に形成されるため、物品を第一分岐供給路２３Ａ又は第二分岐供給路２３Ｂへ誘導するための誘導部材２６が不要であるため、コストを抑えることができる。
【００８０】
また、案内部材２５は、各取出口２１に対応して１つずつ設けられるため、案内部材２５の動作を制御するだけで、搬送路２２にて搬送される物品を各取出口２１へと導くことができる。したがって、物品供給装置５０の制御を簡素化することができる。
【００８１】
本発明は上記の実施の形態に限定されずに、その技術的な思想の範囲内において種々の変更がなしうることは明白である。
【産業上の利用可能性】
【００８２】
本発明は、複数の遊技機が設置される遊技島に適用することができる。なお、遊技機としては、前記実施の形態に示されるようなパチンコ遊技機に限られるものではなく、例えば、その他のパチンコ遊技機、アレンジボール遊技機、雀球遊技機、及びスロットマシンなどの遊技媒体として遊技球又はコインを使用する全ての遊技機が含まれる。
【図面の簡単な説明】
【００８３】
【図１】本発明の第１の実施の形態に係る遊技島を示す斜視図である。
【図２】本発明の第１の実施の形態に係る遊技島の部分平面図である。
【図３】図２おけるＡ−Ａ線に沿う断面図である。
【図４】本発明の第２の実施の形態に係る遊技島の部分平面図である。
【図５Ａ】図４おけるＡ−Ａ線に沿う断面図である。
【図５Ｂ】図４おけるＢ−Ｂ線に沿う断面図である。
【符号の説明】
【００８４】
１００，２００  遊技島
１      遊技機
２      物品
１０    遊技球供給装置
１１    補給樋
２０，５０  物品供給装置
２１    取出口
２１ａ  第一取出口
２１ｂ  第二取出口
２２    搬送路
２２ａ  ベルトコンベア
２３    分岐供給路
２３ａ  入口部
２３ｂ  分岐部
２３Ａ  第一分岐供給路
２３Ｂ  第二分岐供給路
２５    案内部材
２６    誘導部材
【図１】
2010051468.tif 000003
【図２】
2010051468.tif 000004
【図３】
2010051468.tif 000005
【図４】
2010051468.tif 000006
【図５Ａ】
2010051468.tif 000007
【図５Ｂ】
2010051468.tif 000008